(57)【要約】【課題】電池蓋で電池の面全体を押さえつつ連結部材を確実に収納できる電子機器を提供する。【解決手段】電子機器１は、端末本体１０と、端末本体１０に着脱可能な電池蓋３０と、端末本体１０と電池蓋３０とを連結する連結部材５０と、を備える。端末本体１０は、第１の本体部１４と、第２の本体部１５とを有し、第１の本体部１４の厚みＴ１は、第２の本体部１５の厚みＴ２よりも大きく形成されている。電池蓋３０には、端末本体１０と装着可能とする係止部３４とロック機構部３５とが設けられている。連結部材５０は、第１の連結部５１と、第２の連結部５２とを有し、厚みの大きい第１の領域５３と第２の領域５４と厚みの薄い第３の領域と５５と、屈曲部５６からなる。電池蓋３０を端末本体１０に装着時、屈曲部５６が屈曲して連結部材５０は空間Ｓに収納される。【選択図】図３
2018182158.tif 000002
【特許請求の範囲】
【請求項１】
電池を収納する端末本体と、
当該端末本体に着脱可能な電池蓋と、
前記電池蓋と前記端末本体とを連結する連結部材と、
を備える電子機器であって、
前記端末本体は、第１の本体部と、前記電池を収納する電池収納部を含む第２の本体部とを有し、前記第１の本体部は、前記第２の本体部より厚みが大きく、
前記電池蓋は、前記第１の本体部に差し込み方向に沿って差し込むことにより係止する係止部と、前記差し込み方向に対して略垂直方向に設けられた段差部と、前記段差部を境界として、前記係止部が設けられた領域とは反対側の領域に設けられ、前記端末本体に装着された前記電池蓋を、前記第２の本体部において着脱可能にロックするロック機構部と、を有し、
前記連結部材は、第１の連結部を介して前記端末本体に連結されるとともに、前記第１の連結部とは反対側に位置する第２の連結部を介して前記電池蓋に連結され、
前記連結部材は、前記電池蓋を前記端末本体に装着した状態で、少なくとも前記第１の本体部と、前記電池収納部に収納された電池と、前記段差部を含む前記電池蓋によって囲まれた空間に収納される、
電子機器。
【請求項２】
請求項１に記載の電子機器であって、
前記連結部材は、前記第１の連結部と前記第２の連結部の間に位置する少なくとも一つの屈曲部で屈曲された状態で、前記空間に収納される、
電子機器。
【請求項３】
請求項１に記載の電子機器であって、
前記連結部材の前記第１の連結部から第１の距離を占める第１の領域は、他の領域と比べて厚みが大きく、
前記第１の距離は、前記第１の連結部から当該第１の連結部の近傍の前記電池の側面までの距離よりも長い、
電子機器。
【請求項４】
請求項３に記載の電子機器であって、
前記連結部材の前記第２の連結部から第２の距離を占める第２の領域が前記他の領域の一部をなし、
前記第２の領域は、前記他の領域の前記第２の領域以外の第３の領域と比べて厚みが大きい、
電子機器。
【請求項５】
請求項４に記載の電子機器であって、
前記第１の連結部は、所定の遊びをもって移動可能な状態で前記第１の本体部に連結され、
前記第２の連結部は、前記係止部の側から見て前記第１の連結部より遠い位置に位置し、
前記電池蓋を前記差し込み方向に沿って移動させ、前記端末本体に装着する過程で、前記連結部材は、前記第１の領域と前記第２の領域の間に位置する少なくとも一つの屈曲部で屈曲され、かつ、前記第１の連結部は前記屈曲部から遠ざかる方向に移動し、
前記端末本体に装着した状態で、前記屈曲部は、前記空間内であって、かつ前記係止部の側から見て前記第１の連結部および前記第２の連結部より遠い位置に位置する、
電子機器。
【請求項６】
請求項５に記載の電子機器であって、
前記電池蓋は、前記差し込み方向における前記第１の連結部と前記第２の連結部の間の位置において、前記空間に突出する突出部を有し、
前記突出部は、前記差し込み方向に沿った前記係止部の側への前記第２の領域の動きを規制する、
電子機器。
【請求項７】
請求項１から６のいずれか１項に記載の電子機器であって、
前記第１の連結部と前記第２の連結部は、それぞれ前記端末本体及び前記電池蓋に対して着脱可能である、電子機器。
【発明の詳細な説明】
【技術分野】
【０００１】
本開示は、連結部材を備える電子機器に関する。
【背景技術】
【０００２】
電池蓋がハウジングから脱落を防止するための連結部材を備えることが知られている（特許文献１参照）。
【０００３】
特許文献１は、左右のハウジングの少なくとも片方の側面に電池収納部を有し、ハウジングの側面に設けられた電池収納部と、電池収納部を開閉する電池蓋と、電池蓋が電池収納部を開放した状態で電池蓋がハウジングから脱落することを防ぐ可撓性の連結部材と、を有するノイズキャンセルヘッドホンの電池収納機構であり、電池蓋に不意に大きな外力がかかっても電池蓋が電池収納部を開放することがなく、電池蓋が破損することもないことが開示されている。
【先行技術文献】
【特許文献】
【０００４】
【特許文献１】特開２０１１−１２４８８６号公報
【発明の概要】
【発明が解決しようとする課題】
【０００５】
特許文献１は、連結部材が電池蓋内に収納されていて、意図的な切断防止等になっているが、大型の電池を収納する際には、電池蓋を電池の面全体をしっかりと押さえつける必要があり、連結部材により電池蓋を閉めても電池の面全体を押さえつけることが困難であるという課題がある。
【０００６】
本開示は、電池蓋で電池の面全体を押さえつつ連結部材を確実に収納できる電子機器を提供することを目的とする。
【課題を解決するための手段】
【０００７】
本開示の電子機器は、電池を収納する端末本体と、当該端末本体に着脱可能な電池蓋と、前記電池蓋と前記端末本体とを連結する連結部材と、を備える電子機器であって、前記端末本体は、第１の本体部と、前記電池を収納する電池収納部を含む第２の本体部とを有し、前記第１の本体部は、前記第２の本体部より厚みが大きく、前記電池蓋は、前記第１の本体部に差し込み方向に沿って差し込むことにより係止する係止部と、前記差し込み方向に対して略垂直方向に設けられた段差部と、前記段差部を境界として、前記係止部が設けられた領域とは反対側の領域に設けられ、前記端末本体に装着された前記電池蓋を、前記第２の本体部において着脱可能にロックするロック機構部と、を有し、前記連結部材は、第１の連結部を介して前記端末本体に連結されるとともに、前記第１の連結部とは反対側に位置する第２の連結部を介して前記電池蓋に連結され、前記連結部材は、前記電池蓋を前記端末本体に装着した状態で、少なくとも前記第１の本体部と、前記電池収納部に収納された電池と、前記段差部を含む前記電池蓋によって囲まれた空間に収納される。
【発明の効果】
【０００８】
本開示によれば、電池蓋を端末本体に装着した際に、電池の面全体を電池蓋で確実に押さえ、電池蓋が端末本体から落下や損失を防止する。また、連結部材が厚みの大きい第１の本体部内の空間に、連結部材が多少長くても電池と端末本体との間の溝に入り込むことなく、連結部材が的確に収納できる。そして、電池蓋から連結部材がはみ出すことがなく、使用者の電池交換の作業の負荷を増やすことなく、装着作業が容易にでき、電池蓋の取り外しの簡便性と電池の確実な保持を両立可能とすることができる。
【図面の簡単な説明】
【０００９】
【図１】本開示の電子機器の一例を示し、（ａ）正面斜視図、（ｂ）裏面斜視図。
【図２】図１の分解斜視図
【図３】本開示の電子機器の端末本体に電池蓋を装着する初期段階を示し、（ａ）断面図、（ｂ）（ａ）のＡ部拡大図。
【図４】図３に続く電池蓋と電池との接触時を示し、（ａ）断面図、（ｂ）（ａ）のＡ部拡大図。
【図５】図４に続く装着時を示し、（ａ）断面図、（ｂ）（ａ）のＡ部拡大図。
【発明を実施するための形態】
【００１０】
以下、適宜図面を参照しながら、本開示に係る電子機器を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１１】
以下、本開示を実施するための好適な本実施形態について、図面を参照して詳細に説明する。
【００１２】
図１は、本開示の電子機器の一例を示し、（ａ）は正面斜視図、（ｂ）裏面斜視図である。図２は、図１の分解斜視図である。図３は、組立の初期状態を示す断面図である。図１〜図３に基づいて本開示の電子機器を詳述する。
【００１３】
電子機器１は、個人用、業務用を含み、例えばスマートフォン等の携帯電話、タブレット等の携帯端末、デジタルカメラ、携帯型パーソナルコンピュータ、無線機等、であり、端末本体１０と、端末本体１０に着脱可能な電池蓋３０と、端末本体１０と電池蓋３０とを連結する連結部材５０と、を備える。
【００１４】
端末本体１０は、主として樹脂からなり略直方体の筐体１１と、筐体１１の正面側には、液晶パネルや有機ＥＬパネル等のディスプレイからなる表示部１２が収納され、筐体１１の背面側には電池１３が収納されている。また、端末本体１０は、第１の本体部１４と、電池１３を収納する電池収納部を含む第２の本体部１５とを有し、第１の本体部１４の厚みＴ１は、第２の本体部１５の厚みＴ２よりも大きく形成されている。
【００１５】
電池蓋３０は、樹脂成形品等から成る略長方形状をなし、端末本体１０の筐体１１に対して着脱可能に取り付けられ、装着状態で電池１３を直接カバーする。電池蓋３０は、第１の本体部１４と接合する第１の蓋部３１と、第２の本体部１５と接合する第２の蓋部３２とを有している。また、第１の蓋部３１の厚みＷ１は、第２の蓋部３２の厚みＷ２より大きく形成され、第１の蓋部３１と第２の蓋部３２との厚みの相違を解消し、両者を連結する傾斜した段差部３３が設けられている。そして、段差部３３は、端末本体１０に電池蓋３０を取り付けるための差し込み方向Ｄに対して略垂直方向に設けられている。
【００１６】
また、電池蓋３０には、端末本体１０と装着可能とする係止部３４とロック機構部３５とが設けられている。係止部３４は、第１の蓋部３１の先端に設けられ、第１の本体部１４に差し込み方向Ｄに沿って差し込むことにより係止する。そして、電池蓋３０の第１の蓋部３１には、連結部材５０の一端が係合する開口を有した挿入部３７が設けられている。
【００１７】
ロック機構部３５は、段差部３３を境界として、係止部３４が設けられた領域とは反対側の領域に設けられ、端末本体１０に装着された電池蓋３０を、第２の本体部１５において着脱可能にロックする。また、ロック機構部３５は、端末本体１０の第２の本体部１５に設けられ第２の本体部１５の端部よりの略中央部に配置される第１のロック部１６と、第２の本体部１５の側端に配置される第２のロック部１７と、第１のロック部１６に係止する係止爪を有するロックボタン３６とを有している。
【００１８】
連結部材５０は、ストラップ、バンド等からなり、電池蓋３０を端末本体１０に装着した状態で、第１の本体部１４、電池１３および段差部３３を含む電池蓋３０によって囲まれた空間Ｓに収納される。また、連結部材５０は、第１の連結部５１と、第１の連結部５１とは反対側に位置する第２の連結部５２とを有する。第１の連結部５１は、例えばコネクタ６０を介して端末本体１０の第１の本体部１４に摺動自在に取り付けられ、第２の連結部５２は、電池蓋３０の第１の蓋部３１に設けられた挿入部３７に摺動自在に取り付けられる。当該摺動自在とは、所定の遊びをもって移動可能な状態を指す。
【００１９】
また、第１の連結部５１と第２の連結部５２は、電池蓋３０とは異なる他の部材（ガジェット）への取り換えや、メンテナンスが容易にするために、それぞれ端末本体１０及び電池蓋３０に対して着脱可能な状態にある。
【００２０】
第１の連結部５１はコネクタ６０の支持部６１に取り付けられているが、支持部６１の外径は、第１の連結部５１に形成された環状部５１ａの内径よりもかなり小さく形成されているため、第１の連結部５１の動きはかなりの遊びを持って変形可能である。
【００２１】
第２の連結部５２と電池蓋３０との取り付けは、本開示において次の手順で行われる。まず、第２の連結部５２の先端に形成された断面略円形状の筒部５２ａを挿入部３７の下部から挿入して挿入部３７の上部から突出させる。次に、筒部５２ａに筒部５２ａの内径よりも小径であり筒部５２ａの長さよりも長い略円筒形状のピン５２ｂを挿入し、筒部５２ａの両端からピン５２ｂの両端を突出させる。そして、連結部材５０を下方に引張り、ピン５２ｂの突出した部分を挿入部３７に設けられた載置部３７ａに載置し、挿入部３７の上部から挿入部３７を覆うカバー３８を取り付ける。
【００２２】
また、連結部材５０は、第１の連結部５１と第２の連結部５２との間に所定の長さを備える複数の領域を有する。第１の連結部５１近傍には、第１の連結部５１から第１の距離Ｌ１を占める第１の領域５３が設けられ、第２の連結部５２の近傍には、第２の連結部５２から第２の距離Ｌ２を占める第２の領域５４が設けられている。
【００２３】
そして、第１の領域５３と第２の領域５４との間には、双方を連結し第３の距離Ｌ３を占める第３の領域５５が設けられている。また、第２の領域５４と第３の領域５５との境界は屈曲部５６が形成されている。尚、屈曲部５６は、第１の連結部５１と第２の連結部５２との間であれば複数あっても良い。
【００２４】
第１の領域５３は、剛性を確保して折れ曲がり難くするために、本開示において、連結部材５０を構成している帯状部を２回折り返して形成して、第２の領域５４と第３の領域５５に比べて厚みを大きくしている。また、第２の領域５４も同様に、本開示において帯状部を１回折り返して形成しているため、第３の領域５５に比べて厚みを大きくしている。
【００２５】
図３は、端末本体１０に電池蓋３０を装着する初期段階を示し、図４は電池蓋３０と電池１３との接触時を示し、図５は装着時を示す。図３から図５に基づいて、電池蓋３０を端末本体１０に装着する際の連結部材５０の具体的な動きについて説明する。
【００２６】
端末本体１０と連結部材５０を介して連結された電池蓋３０を差し込み方向Ｄに沿って端末本体１０の上部から移動させる。初期状態に於いて、連結部材５０は略平坦状である。また、連結部材５０の第１の連結部５１は、電池１３の側面１３ａよりも第１の本体部１４よりに位置し、第１の本体部１４と、電池１３と、段差部３３を含む電池蓋３０によって囲まれた空間Ｓに収納される。
【００２７】
そして、第２の連結部５２は、電池蓋３０の裏面から当該空間Ｓに突出する突出部３９近傍に配置され、突出部３９により差し込み方向Ｄに沿った係止部３４の側への連結部材５０の第２の領域５４の動きが規制されている。
【００２８】
次に、電池蓋３０の第２の蓋部３２を端末本体１０の第２の本体部１５に当接させる（図４参照）。この状態において、連結部材５０の第２の領域５４と第３の領域５５の境界近傍が屈曲部５６として屈曲する。第１の領域５３及び第２の領域５４は、第３の領域５５に比べて剛性を保つために厚く形成されているため、厚みの薄い第３の領域５５において連結部材５０は屈曲する。
【００２９】
電池蓋３０の差し込み方向Ｄへの動きに追従して第２の連結部５２が第１の本体部１４に近づき、屈曲部５６は屈曲しながら電池１３の側面１３ａから遠ざかる方向である電池１３の中央部方向に移動する。そして、第２の連結部５２の表面は突出部３９に規制されながら筒部５２ａがピン５２ｂを中心に回転し、第１の連結部５１は、空間Ｓ内で上方に屈曲部５６から遠ざかる方向に移動する。
【００３０】
そして、係止部３４を第１の本体部１４に係止させて電池蓋３０をスライドして取り付けた後、電池蓋３０で電池１３の周囲と後側で電池１３をしっかりと押さえつけ、ロック機構部３５でロックする（図５参照）。その際、第１の連結部５１は屈曲部５６から遠ざかる方向に移動し、屈曲部５６は、空間Ｓ内であって、かつ係止部３４の側から見て第１の連結部５１および第２の連結部５２より遠い位置に位置する。
【００３１】
電池蓋３０が端末本体１０に装着された状態において、連結部材５０は、第１の連結部５１と第２の連結部５２の間に位置する屈曲部５６で屈曲された状態で、空間Ｓに収納される。また、第１の領域５３は他の領域５４、５５に比べて厚みがあるため、部品等の間に挟まれることなく電池１３の上面をスライドする結果、第１の領域５３の第１の距離Ｌ１は、第１の連結部５１から当該第１の連結部５１の近傍の電池１３の側面１３ａまでの距離Ｌ４よりも長くなる。そして、環状部５１ａが変形して空間Ｓ内の上方に移動する。
【００３２】
電池蓋３０を端末本体１０に装着する動作において、連結部材５０は、第１の本体部１４と第１の蓋部３１と段差部３３及び電池１３の表面とで画定される空間Ｓ内で、厚みの相違する三つの領域５３、５４、５５の剛性を利用しながら移動変形する。そのため、長い連結部材５０であっても空間Ｓ内に収納可能となる。また、連結部材５０は空間Ｓのみに収納されるため、電池蓋３０の第２の蓋部３２裏面全面が連結部材５０に邪魔されることなく電池１３に直接当接できるため、電池１３を確実に保持できる。
【００３３】
以上により、本実施形態の電子機器１は、電池１３を収納する端末本体１０と、当該端末本体１０に着脱可能な電池蓋３０と、電池蓋３０と端末本体１０とを連結する連結部材５０と、を備える電子機器１であって、端末本体１０は、第１の本体部１４と、電池１３を収納する電池収納部を含む第２の本体部１５とを有し、第１の本体部１４は、第２の本体部１５より厚みが大きく、電池蓋３０は、第１の本体部１４に差し込み方向Ｄに沿って差し込むことにより係止する係止部３４と、差し込み方向Ｄに対して略垂直方向に設けられた段差部３３と、段差部３３を境界として、係止部３４が設けられた領域とは反対側の領域に設けられ、端末本体１０に装着された電池蓋３０を、第２の本体部１５において着脱可能にロックするロック機構部３５と、を有し、連結部材５０は、第１の連結部５１を介して端末本体１０に連結されるとともに、第１の連結部５１とは反対側に位置する第２の連結部５２を介して電池蓋３０に連結され、連結部材５０は、電池蓋３０を端末本体１０に装着した状態で、少なくとも第１の本体部１４と、電池収納部に収納された電池１３と、段差部３３を含む電池蓋３０によって囲まれた空間Ｓに収納される。
【００３４】
これにより、電池蓋３０を端末本体１０に装着した際に、電池１３の面全体を電池蓋３０で確実に押さえ、電池蓋３０が端末本体から落下や損失を防止する。係止部３４が電池蓋３０と端末本体１０の係止を維持し、ロック機構部３５が電池１３を上からしっかりと押さえつけることができる。また、連結部材５０が厚みの大きい第１の本体部１４内の空間Ｓに、連結部材５０が多少長くても電池１３と端末本体１０との間の溝に入り込むことなく、連結部材５０が的確に収納できる。そして、電池蓋３０から連結部材５０がはみ出すことがなく、使用者の電池１３の交換における作業の負荷を増やすことなく、装着作業が容易にでき、電池蓋３０の取り外しの簡便性と電池１３の確実な保持を両立可能とすることができる。
【００３５】
以上により、本実施形態の電子機器１は、連結部材５０は、第１の連結部５１と第２の連結部５２の間に位置する少なくとも一つの屈曲部５６で屈曲された状態で、空間Ｓに収納される。これにより、屈曲部５６で屈曲することにより、コンパクトな空間Ｓに連結部材５０を収納できる。
【００３６】
以上により、本実施形態の電子機器１は、連結部材５０の第１の連結部５１から第１の距離Ｌ１を占める第１の領域５３は、他の領域５４、５５と比べて厚みが大きく、第１の距離Ｌ１は、第１の連結部５１から当該第１の連結部５１の近傍の電池１３の側面１３ａまでの距離よりも長い。これにより、厚みがある部分は剛性が確保され、折れ曲がりにくくなる。また、第１の領域５３は剛性があるため、電池１３の側面の方にスライドして端末本体１０との間に挟まれことを防止することができる。
【００３７】
以上により、本実施形態の電子機器１は、連結部材５０の第２の連結部５２から第２の距離Ｌ２を占める第２の領域５４が他の領域の一部をなし、第２の領域５４は、他の領域の第２の領域５４以外の第３の領域５５と比べて厚みが大きい。これにより、厚みがある部分は剛性が確保され、折れ曲がりにくくなる。第１の領域５３に加え、別の他端に厚い第２の領域５４を設けて、屈曲部５６の形成を促し、連結部材５０を空間Ｓに収納し易くすることができる。
【００３８】
以上により、本実施形態の電子機器１は、第１の連結部５１は、所定の遊びをもって移動可能な状態で第１の本体部１４に連結され、第２の連結部５２は、係止部３４の側から見て第１の連結部５１より遠い位置に位置し、電池蓋３０を差し込み方向Ｄに沿って移動させ、端末本体１０に装着する過程で、連結部材５０は、第１の領域５３と第２の領域５４の間に位置する少なくとも一つの屈曲部５６で屈曲され、かつ、第１の連結部５１は屈曲部５６から遠ざかる方向に移動し、端末本体１０に装着した状態で、屈曲部５６は、空間Ｓ内であって、かつ係止部３４の側から見て第１の連結部５１および第２の連結部５２より遠い位置に位置する。
【００３９】
これにより、第１の連結部５１と屈曲部５６が離れ、長い連結部材５０も空間Ｓに収納しやすくなる。
【００４０】
以上により、本実施形態の電子機器１は、電池蓋３０は、差し込み方向Ｄにおける第１の連結部５１と第２の連結部５２の間の位置において、空間Ｓに突出する突出部３９を有し、突出部３９は、差し込み方向Ｄに沿った係止部３４の側への第２の領域５４の動きを規制する。これにより、突出部３９が剛性のある第２の領域５４を後側へ規制し、屈曲部５６を第１の連結部５１から離れた後側に形成しやすくなり、長い連結部材５０も空間Ｓに収納しやすくできる。
【００４１】
以上により、本実施形態の電子機器１は、第１の連結部５１と第２の連結部５２は、それぞれ端末本体１０及び電池蓋３０に対して着脱可能である。これにより、電池蓋３０とは異なる他の部材（ガジェット）への取り換えや、メンテナンスが容易になる。
【００４２】
以上、図面を参照して本開示に係る電子機器の実施形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。
【産業上の利用可能性】
【００４３】
本開示の電子機器は、取り扱い性の向上に有用である。
【符号の説明】
【００４４】
１：電子機器
１０：端末本体
１３：電池
１３ａ：電池の側面
１４：第１の本体部
１５：第２の本体部
３０：電池蓋
３１：第１の蓋部
３２：第２の蓋部
３３：段差部
３４：係止部
３５：ロック機構部
３９：突出部
５０：連結部材
５１：第１の連結部
５２：第２の連結部
５３：第１の領域
５４：第２の領域
５５：第３の領域
５６：屈曲部
Ｄ：差し込み方向
Ｌ１：第１の距離
Ｌ２：第２の距離
Ｓ：空間
【図１】
2018182158.tif 000003
【図２】
2018182158.tif 000004
【図３】
2018182158.tif 000005
【図４】
2018182158.tif 000006
【図５】
2018182158.tif 000007
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
電池を収納する端末本体と、
当該端末本体に着脱可能な電池蓋と、
前記電池蓋と前記端末本体とを連結する連結部材と、
を備える電子機器であって、
前記端末本体は、第１の本体部と、前記電池を収納する電池収納部を含む第２の本体部とを有し、前記第１の本体部は、前記第２の本体部より厚みが大きく、
前記電池蓋は、前記第１の本体部に差し込み方向に沿って差し込むことにより係止する係止部と、前記差し込み方向に対して略垂直方向に設けられた段差部と、前記段差部を境界として、前記係止部が設けられた領域とは反対側の領域に設けられ、前記端末本体に装着された前記電池蓋を、前記第２の本体部において着脱可能にロックするロック機構部と、を有し、
前記電池蓋は、前記端末本体に装着した状態で、前記係止部が設けられた領域とは反対側の領域にて、前記電池収納部に収納された前記電池に直接当接し、
前記連結部材は、第１の連結部を介して前記端末本体の第１の本体部に連結されるとともに、前記第１の連結部とは反対側に位置する第２の連結部を介して前記電池蓋の前記係止部が設けられた領域に連結され、
前記連結部材は、前記電池蓋を前記端末本体に装着した状態で、少なくとも前記第１の本体部と、前記電池収納部に収納された電池と、前記段差部を含む前記電池蓋によって囲まれた空間のみに収納される、
電子機器。
【請求項２】
請求項１に記載の電子機器であって、
前記連結部材は、前記第１の連結部と前記第２の連結部の間に位置する少なくとも一つの屈曲部で屈曲された状態で、前記空間に収納される、
電子機器。
【請求項３】
請求項１に記載の電子機器であって、
前記連結部材の前記第１の連結部から第１の距離を占める第１の領域は、他の領域と比べて厚みが大きく、
前記第１の距離は、前記第１の連結部から当該第１の連結部の近傍の前記電池の側面までの距離よりも長い、
電子機器。
【請求項４】
請求項３に記載の電子機器であって、
前記連結部材の前記第２の連結部から第２の距離を占める第２の領域が前記他の領域の一部をなし、
前記第２の領域は、前記他の領域の前記第２の領域以外の第３の領域と比べて厚みが大きい、
電子機器。
【請求項５】
請求項４に記載の電子機器であって、
前記第１の連結部は、所定の遊びをもって移動可能な状態で前記第１の本体部に連結され、
前記第２の連結部は、前記係止部の側から見て前記第１の連結部より遠い位置に位置し、
前記電池蓋を前記差し込み方向に沿って移動させ、前記端末本体に装着する過程で、前記連結部材は、前記第１の領域と前記第２の領域の間に位置する少なくとも一つの屈曲部で屈曲され、かつ、前記第１の連結部は前記屈曲部から遠ざかる方向に移動し、
前記端末本体に装着した状態で、前記屈曲部は、前記空間内であって、かつ前記係止部の側から見て前記第１の連結部および前記第２の連結部より遠い位置に位置する、
電子機器。
【請求項６】
請求項５に記載の電子機器であって、
前記電池蓋は、前記差し込み方向における前記第１の連結部と前記第２の連結部の間の位置において、前記空間に突出する突出部を有し、
前記突出部は、前記差し込み方向に沿った前記係止部の側への前記第２の領域の動きを規制する、
電子機器。
【請求項７】
請求項１から６のいずれか１項に記載の電子機器であって、
前記第１の連結部と前記第２の連結部は、それぞれ前記端末本体及び前記電池蓋に対して着脱可能である、電子機器。
【手続補正２】
【補正対象書類名】明細書
【補正対象項目名】０００７
【補正方法】変更
【補正の内容】
【０００７】
本開示の電子機器は、電池を収納する端末本体と、当該端末本体に着脱可能な電池蓋と、前記電池蓋と前記端末本体とを連結する連結部材と、を備える電子機器であって、前記端末本体は、第１の本体部と、前記電池を収納する電池収納部を含む第２の本体部とを有し、前記第１の本体部は、前記第２の本体部より厚みが大きく、前記電池蓋は、前記第１の本体部に差し込み方向に沿って差し込むことにより係止する係止部と、前記差し込み方向に対して略垂直方向に設けられた段差部と、前記段差部を境界として、前記係止部が設けられた領域とは反対側の領域に設けられ、前記端末本体に装着された前記電池蓋を、前記第２の本体部において着脱可能にロックするロック機構部と、を有し、前記電池蓋は、前記端末本体に装着した状態で、前記係止部が設けられた領域とは反対側の領域にて前記電池に直接当接し、前記連結部材は、第１の連結部を介して前記端末本体の第１の本体部に連結されるとともに、前記第１の連結部とは反対側に位置する第２の連結部を介して前記電池蓋の前記係止部が設けられた領域に連結され、前記連結部材は、前記電池蓋を前記端末本体に装着した状態で、少なくとも前記第１の本体部と、前記電池収納部に収納された電池と、前記段差部を含む前記電池蓋によって囲まれた空間のみに収納される。